(57)【特許請求の範囲】
【請求項１】
途中に暖房端末が接続される暖房循環路と、
前記暖房循環路内に熱媒を循環させる暖房循環ポンプと、
前記暖房循環路の途中に設けられた第１熱交換器と、前記第１熱交換器内を流通する熱媒を加熱するヒートポンプと、前記第１熱交換器から前記暖房循環路に流出する熱媒の温度を検出する第１熱交往き温度センサと、前記暖房循環路から前記第１熱交換器に流入する熱媒の温度を検出する第１熱交戻り温度センサと、所定の暖房実行条件が成立して前記暖房循環ポンプが作動しているときに、前記第１熱交戻り温度センサの検出温度が第１加熱開始温度以下になった時に前記ヒートポンプによる熱媒の加熱を開始して、前記第１熱交往き温度センサの検出温度が前記第１加熱開始温度よりも高い第１加熱停止温度以上になった時に前記ヒートポンプによる熱媒の加熱を停止する第１加熱処理を、繰り返し実行するヒートポンプコントローラとを有するヒートポンプユニットと、
前記暖房循環路の途中の前記暖房端末と前記第１熱交換器との間に設けられた第２熱交換器と、前記第２熱交換器内を流通する熱媒を加熱する第２加熱部と、前記第２熱交換器から前記暖房循環路に流出する熱媒の温度を検出する第２熱交往き温度センサと、前記暖房循環路から前記第２熱交換器に流入する熱媒の温度を検出する第２熱交戻り温度センサと、前記暖房実行条件が成立して前記暖房循環ポンプが作動しているときに、前記第２熱交戻り温度センサの検出温度が前記第１加熱開始温度よりも低い第２加熱開始温度以下になった時に前記第２加熱部による熱媒の加熱を開始して、前記第２熱交往き温度センサの検出温度が前記第１加熱停止温度よりも低い第２加熱停止温度以上になった時に前記第２加熱部による熱媒の加熱を停止する第２加熱処理を、繰り返し実行する熱源機コントローラとを有する熱源機と
を備えたことを特徴とする暖房システム。
【請求項２】
請求項１に記載の暖房システムにおいて、
前記熱源機コントローラは、前記暖房実行条件が成立した時から所定時間が経過するまでは、前記第２加熱処理を実行しないことを特徴とする暖房システム。
【請求項３】
請求項１又は請求項２に記載の暖房システムにおいて、
前記熱源機コントローラは、所定期間の開始時からの前記第２加熱処理の実行回数が所定回数以上になったときに、前記所定期間の残期間における前記第２加熱開始温度を下げる処理と、前記所定期間の残期間における前記第２加熱停止温度を上げる処理とのうちの少なくともいずれか一方を行うことを特徴とする暖房システム。
【発明の詳細な説明】
【技術分野】
【０００１】
本発明は、ヒートポンプ及びヒートポンプ以外の熱源機を用いて暖房を行う暖房システムに関する。
【背景技術】
【０００２】
従来、ヒートポンプ及びガス熱源機を熱源として暖房を行う暖房システムが提案されている（例えば、特許文献１参照）。
【０００３】
特許文献１に記載された暖房システムにおいては、暖房端末が接続された温水循環路に、上流側からヒートポンプによる加熱部とガス熱源機による加熱部とが直列に配置されている。そして、基本的には熱効率が優れたヒートポンプによる加熱を優先して行い、ヒートポンプによる加熱のみでは加熱量が不足する場合に、ガス熱源機を作動させる構成となっている。
【０００４】
特許文献１に記載された暖房システムではヒートポンプユニットとガス熱源機との間で通信を行って、ヒートポンプユニットがガス熱源機の作動状態をモニタし、ガス熱源機が作動を開始したときに、ヒートポンプによる目標加熱温度を上げる処理を行っている。
【０００５】
この処理により、ガス熱源機の作動を抑制して、熱効率の良いヒートポンプを優先的に作動させて暖房を行うようにしている。
【先行技術文献】
【特許文献】
【０００６】
【特許文献１】特許第５３７８３１０号公報
【発明の概要】
【発明が解決しようとする課題】
【０００７】
特許文献１に記載された暖房システムでは、ヒートポンプユニットとガス熱源機間の通信を行う構成を備える必要があるため、システム構成が複雑になるという不都合がある。
【０００８】
本発明はかかる背景に鑑みてなされたものであり、簡易な構成により、熱効率に優れたヒートポンプを優先的に作動させて暖房を行うことができる暖房システムを提供することを目的とする。
【課題を解決するための手段】
【０００９】
本発明の暖房システムは、
途中に暖房端末が接続される暖房循環路と、
前記暖房循環路内に熱媒を循環させる暖房循環ポンプと、
前記暖房循環路の途中に設けられた第１熱交換器と、前記第１熱交換器内を流通する熱媒を加熱するヒートポンプと、前記第１熱交換器から前記暖房循環路に流出する熱媒の温度を検出する第１熱交往き温度センサと、前記暖房循環路から前記第１熱交換器に流入する熱媒の温度を検出する第１熱交戻り温度センサと、所定の暖房実行条件が成立して前記暖房循環ポンプが作動しているときに、前記第１熱交戻り温度センサの検出温度が第１加熱開始温度以下になった時に前記ヒートポンプによる熱媒の加熱を開始して、前記第１熱交往き温度センサの検出温度が前記第１加熱開始温度よりも高い第１加熱停止温度以上になった時に前記ヒートポンプによる熱媒の加熱を停止する第１加熱処理を、繰り返し実行するヒートポンプコントローラとを有するヒートポンプユニットと、
前記暖房循環路の途中の前記暖房端末と前記第１熱交換器との間に設けられた第２熱交換器と、前記第２熱交換器内を流通する熱媒を加熱する第２加熱部と、前記第２熱交換器から前記暖房循環路に流出する熱媒の温度を検出する第２熱交往き温度センサと、前記暖房循環路から前記第２熱交換器に流入する熱媒の温度を検出する第２熱交戻り温度センサと、前記暖房実行条件が成立して前記暖房循環ポンプが作動しているときに、前記第２熱交戻り温度センサの検出温度が前記第１加熱開始温度よりも低い第２加熱開始温度以下になった時に前記第２加熱部による熱媒の加熱を開始して、前記第２熱交往き温度センサの検出温度が前記第１加熱停止温度よりも低い第２加熱停止温度以上になった時に前記第２加熱部による熱媒の加熱を停止する第２加熱処理を、繰り返し実行する熱源機コントローラとを有する熱源機と
を備えたことを特徴とする。
【００１０】
かかる本発明によれば、ヒートポンプユニットにおいては、ヒートポンプコントローラが、第１熱交戻り温度センサの検出温度が第１加熱開始温度以下になったときにヒートポンプを作動させて暖房循環路を流通する熱媒の加熱を開始して、第１熱交往き温度センサの検出温度が第１加熱停止温度以上になったときにヒートポンプによる熱媒の加熱を停止している。
【００１１】
一方、熱源機ユニットにおいては、熱源機コントローラが、第２熱交戻り温度センサの検出温度が第１加熱開始温度よりも低い第２加熱開始温度以下になったときに第２加熱部による熱媒の加熱を開始して、第２熱交往き温度センサの検出温度が第１加熱停止温度よりも低い第２加熱停止温度以上になったときに第２加熱部による熱媒の加熱を停止している。
【００１２】
この場合、ヒートポンプユニットと熱源機とは、相互に通信を行うことなく独立して動作するため、簡易な構成にすることができる。そして、暖房循環路内の熱媒の温度低下に対してはヒートポンプによる加熱の処理が先に開始されるため、熱源機（ガス熱源機等）よりもヒートポンプの方が起動時間（作動を開始してから熱媒が実際に加熱されるようになるまでに要する時間）が長い場合であっても、ヒートポンプによる熱媒の加熱を熱源機による熱媒の加熱よりも優先させて、効率の良い暖房を行うことができる。
【００１３】
また、前記熱源機コントローラは、前記暖房実行条件が成立した時から所定時間が経過するまでは、前記第２加熱処理を実行しないことを特徴とする。
【００１４】
この構成によれば、暖房実行条件が成立したときに、ヒートポンプコントローラによる第１加熱処理を、熱源機コントローラによる第２加熱処理よりも先に開始させることができる。そのため、熱効率に優れたヒートポンプによる加熱を優先的に実行して、暖房を行うことができる。
【００１５】
また、前記熱源機コントローラは、所定期間の開始時からの前記第２加熱処理の実行回数が所定回数以上になったときに、前記所定期間の残期間における前記第２加熱開始温度を下げる処理と、前記所定期間の残期間における前記第２加熱停止温度を上げる処理とのうちの少なくともいずれか一方を行うことを特徴とする。
【００１６】
この構成によれば、所定期間における第２加熱処理の実行回数が所定回数以上になり、第２加熱部の発停が頻繁に行われる状況となっているときに、第２加熱開始温度を下げる処理と第２加熱停止温度を上げる処理とのうちの少なくともいずれか一方を行うことにより、所定期間の残期間における第２加熱部の発停回数を減少させることができる。そして、これにより、熱源機の寿命を延ばすことができる。
【図面の簡単な説明】
【００１７】
【図１】本発明の暖房システムの構成を含む給湯暖房システムの構成図。
【図２】暖房運転時のヒートポンプユニットの作動フローチャート。
【図３】暖房運転時の熱源機の作動フローチャート。
【発明を実施するための形態】
【００１８】
［１．全体構成］
本発明の実施形態の一例について、図１〜図３を参照して説明する。図１を参照して、本実施形態の給湯暖房システム１（本発明の暖房システムの構成を含む）は、給湯機能と暖房機能を有し、タンクユニット１０、ヒートポンプ３０、熱源機５０、及びリモコン７０を備えて構成されている。
【００１９】
タンクユニット１０と熱源機５０は、暖房端末８０（床暖房機、温風暖房機等）と共に、暖房循環路５の途中に直列に接続されている。
【００２０】
［２．タンクユニットの構成］
タンクユニット１０は、湯水を貯めるタンク１１を備え、タンク１１には、タンク内の湯水の温度を検出する３個のタンク温度センサ１５，１６，１７が高さ方向に沿って設けられている。タンク温度センサ１７はタンク１１の上部、タンク温度センサ１６はタンク１１の中間部、タンク温度センサ１５はタンク１１の下部にそれぞれ設けられている。
【００２１】
また、給湯用の構成として、タンク１１の上部には出湯管２が接続され、出湯管２のタンク１１との接続箇所付近に、タンク１１から出湯管２に供給される湯水の温度を検出するタンク出湯温度センサ１２が設けられている。また、タンク１１の下部には、上水道（図示しない）と接続された給水管３が接続され、給水管３には、上水道から給水管３に供給される水の温度を検出する給水温度センサ２４と、給水管３を流通する水の流量を検出するタンク流量センサ２７とが設けられている。
【００２２】
給水管３は、給水分岐管４を介して出湯管２と連通し、給水分岐管４と出湯管２との接続箇所に設けられた混合弁２３により、タンク１１から出湯管２に供給される湯と給水分岐管４から供給される水とが混合されて、混合弁２３の下流側の出湯管２に供給される。出湯管２の混合弁２３の出口との接続箇所付近には、混合弁２３から出湯管２に供給される湯の温度を検出するタンク給湯温度センサ１３が設けられている。
【００２３】
次に、暖房用の構成として、タンク１１の上部と下部を連通したタンク循環路６が設けられている。タンク循環路６のタンク１１の上部との接続箇所付近には、タンク１１からタンク循環路６に流出する湯の温度を検出するタンク往き温度センサ１８が設けられている。また、タンク循環路６には、タンク１１内の水をタンク循環路６を介して循環させるためのタンク循環ポンプ２２と、暖房循環路５にも接続されて、タンク循環路６を循環する温水と暖房循環路５内を循環する熱媒との間で熱交換を行うタンク熱交換器２１（本発明の第１熱交換器に相当する）とが設けられている。
【００２４】
暖房循環路５には、タンク熱交換器２１から暖房循環路５に流出する熱媒の温度を検出するタンク熱交往き温度センサ１９（本発明の第１熱交往き温度センサに相当する）と、暖房循環路５からタンク熱交換器２１に流入する熱媒の温度を検出するタンク熱交戻り温度センサ２０（本発明の第１熱交戻り温度センサに相当する）とが設けられている。
【００２５】
さらに、タンクユニット１０には、タンク１１の上部と下部を連通したヒートポンプ循環路７が備えられている。ヒートポンプ循環路７のタンク１１の上部との接続箇所付近には、ヒートポンプ循環路７からタンク１１に流入する湯水の温度を検出するヒートポンプ戻り温度センサ１４が設けられている。
【００２６】
また、ヒートポンプ循環路７のタンク１１の下部との接続箇所付近には、タンク１１からヒートポンプ循環路７に流出する湯水の温度を検出するヒートポンプ往き温度センサ２６とが設けられている。
【００２７】
タンクユニット１０に備えられたタンクコントローラ２５は、図示しないＣＰＵ、メモリ、各種インターフェース回路等によって構成された電子回路ユニットであり、メモリに保持されたタンクユニット１０の制御用プログラムをＣＰＵにより実行することによって、タンクユニット１０の全体的な作動を制御する機能を果たす。
【００２８】
タンクコントローラ２５には、各センサ１２，１３，１４，１５，１６，１７，１８，１９，２０，２４，２６，２７の検出信号と、リモコン７０からの指示信号とが入力される。また、タンクコントローラ２５から出力される制御信号によって、混合弁２３とタンク循環ポンプ２２の作動が制御される。
【００２９】
［３．ヒートポンプの構成］
ヒートポンプ３０は、タンク１１内の湯水をヒートポンプ循環路７を介して循環させるためのヒートポンプ循環ポンプ３１を備え、大気から吸熱して、ヒートポンプ循環路７内を流通する湯水を加熱する。ヒートポンプ３０は、図示しない圧縮機、放熱器、膨張弁、及び蒸発器と、これらを順に接続した熱媒循環路とを備えている。熱媒循環路には熱媒（二酸化炭素等）が充填され、熱媒循環路内を流通する熱媒とヒートポンプ循環路７内を流通する湯水間の熱交換により、ヒートポンプ循環路７を流通する湯水が加熱される。
【００３０】
ヒートポンプ３０に備えられたヒートポンプコントローラ３５は、図示しないＣＰＵ、メモリ、各種インターフェース回路等によって構成された電子回路ユニットであり、メモリに保持されたヒートポンプ３０の制御用プログラムをＣＰＵにより実行することによって、ヒートポンプ３０の全体的な作動を制御する機能を果たす。ヒートポンプコントローラ３５には、図示しない各種センサの検出信号が入力され、ヒートポンプコントローラ３５から出力される制御信号によりヒートポンプ循環ポンプ３１、圧縮機等の作動が制御される。
【００３１】
［４．熱源機の構成］
熱源機５０は、給湯用の構成として、出湯管２の途中に設けられた給湯熱交換器５１と、給湯熱交換器５１を加熱する給湯バーナ５２と、給湯熱交換器５１から出湯管に流出する湯水の温度を検出する熱源機給湯温度センサ５３とを備えている。
【００３２】
また、熱源機５０は、暖房用の構成として、暖房循環路５の途中に設けられた暖房熱交換器５６（本発明の第２熱交換器に相当する）と、暖房熱交換器５６を加熱する暖房バーナ５７（本発明の第２加熱部に相当する）と、暖房循環路５から暖房熱交換器５６に流入する湯水の温度を検出する暖房熱交戻り温度センサ６０（本発明の第２熱交戻り温度センサに相当する）と、暖房熱交換器５６から暖房循環路５に流出する湯水の温度を検出する暖房熱交往き温度センサ５８（本発明の第２熱交往き温度センサに相当する）と、暖房循環路５内の熱媒を循環させる暖房循環ポンプ５９とを備えている。
【００３３】
熱源機５０に備えられた熱源機コントローラ５５は、図示しないＣＰＵ、メモリ、各種インターフェース回路等によって構成された電子回路ユニットであり、メモリに保持された熱源機５０の制御プログラムをＣＰＵにより実行することによって、熱源機５０の全体的な作動を制御する機能を果たす。
【００３４】
熱源機コントローラ５５には、センサ５３，５８，６０，６１の検出信号が入力され、熱源機コントローラ５５から出力される制御信号によって、給湯バーナ５２、暖房バーナ５７、及び暖房循環ポンプ５９の作動が制御される。
【００３５】
［５．通信系の構成］
タンクコントローラ２５及び熱源機コントローラ５５は、給湯暖房システム１を遠隔操作するためのリモコン７０と通信ケーブルを介して接続され、使用者によるリモコン７０の操作に応じて、給湯運転の条件（給湯温度等）を指示する信号、暖房運転の条件（暖房運転の開始／停止等）を指示する信号等が、タンクコントローラ２５及び熱源機コントローラ５５に送信される。
【００３６】
また、タンクコントローラ２５とヒートポンプコントローラ３５とは、通信ケーブルを介して接続され、ヒートポンプコントローラ３５は、タンクコントローラ２５から送信される制御信号に応じて、ヒートポンプ３０の作動を制御する。
【００３７】
［６．給湯運転］
タンクコントローラ２５及び熱源機コントローラ５５は、リモコン７０により運転状態とされているときに給湯運転を行う。
【００３８】
タンクコントローラ２５は、タンク温度センサ１５，１６，１７の検出温度からタンク１１に貯められている湯の量を認識し、タンク１１内の湯の量が所定量以下になったとき（湯切れ状態になったとき）に、ヒートポンプ３０を作動させてタンク１１内の湯水を所定温度（例えば７５℃）以上まで加熱する。
【００３９】
また、タンクコントローラ２５は、タンク流量センサ２７により作動流量以上の給水が検出されているとき（出湯管２の先端に接続された給湯栓が開けられて、出湯管２から湯水が供給されているとき）に、タンク給湯温度センサ１３の検出温度が目標給湯温度（リモコン７０により設定される）となるように、混合弁２３によりタンク１１からの湯の流量と給水分岐管４からの水の流量との混合比を調節する。
【００４０】
熱源機コントローラ５５は、熱源機流量センサ６１により作動流量以上の流量が検出されているときに、熱源機給湯温度センサ５３の検出温度を監視する。
【００４１】
そして、熱源機給湯温度センサ５３の検出温度が目標給湯温度よりも低いときには、給湯バーナ５２を燃焼させて、熱源機給湯温度センサ５３の検出温度が目標給湯温度となるように、給湯バーナ５２の火力を調節する。このように熱源機５０が作動することにより、タンク１１の湯切れが生じている場合であっても、目標給湯温度での給湯が確保される。
【００４２】
［７．暖房運転］
タンクコントローラ２５及び熱源機コントローラ５５は、リモコン７０から暖房運転の開始を指示する信号を受信したとき（本発明の暖房実行条件が成立したときに相当する）に、暖房運転を開始する。熱源機コントローラ５５は、暖房運転の実行中は暖房循環ポンプ５９を作動させて、暖房循環路５内の熱媒を循環させる。
【００４３】
タンクコントローラ２５は、図２に示したフローチャートに従って暖房運転を実行する。なお、図２のフローチャートによる１サイクルの熱媒の加熱処理は、本発明の第１加熱処理に相当する。また、タンクユニット１０とヒートポンプ３０とにより、暖房循環路５を流通する熱媒を加熱する構成は、本発明のヒートポンプユニットに相当する。
【００４４】
タンクコントローラ２５は、図２のＳＴＥＰ１で、リモコン７０から暖房運転の開始を指示する信号を受信したときにＳＴＥＰ２に進む。そして、タンクコントローラ２５は、予め設定されている熱源機５０の加熱停止温度（５５℃）を目標暖房温度とする。
【００４５】
タンクコントローラ２５は、目標暖房温度の設定に応じて、ヒートポンプ３０の作動と停止を切り換えるための、第１加熱開始温度を５０℃（目標暖房温度−５℃）に設定すると共に、第１加熱停止温度を６０℃（目標暖房温度＋５℃）に設定する。
【００４６】
続くＳＴＥＰ３で、タンクコントローラ２５は、暖房運転中（リモコン７０から暖房停止を指示する信号を受信していない）であるか否かを判断する。そして、暖房運転中でないときはＳＴＥＰ１に戻り、暖房運転中であるときはＳＴＥＰ４に進む。
【００４７】
ＳＴＥＰ４で、タンクコントローラ２５は、タンク熱交戻り温度センサ２０の検出温度が第１加熱開始温度（５０℃）以下であるか否かを判断する。そして、タンク熱交戻り温度センサ２０の検出温度が第１加熱開始温度よりも高いときはＳＴＥＰ３に戻り、タンク熱交戻り温度センサ２０の検出温度が第１加熱開始温度以下であるときにはＳＴＥＰ５に進んで、ヒートポンプ暖房運転を開始する。
【００４８】
タンクコントローラ２５は、タンク循環ポンプ２２を作動させて、タンク１１内の湯水をタンク循環路６を介して循環させると共に、ヒートポンプコントローラ３５に対してヒートポンプ３０による加熱の開始を指示して、タンク１１内の湯水をヒートポンプ３０で加熱しながらヒートポンプ循環路７内を循環させるヒートポンプ暖房運転を実行する。
【００４９】
これにより、ヒートポンプ３０により加熱されてタンク１１の上部に供給された温水がタンク循環路６をタンク熱交換器２１を介して流通し、タンク熱交換器２１において、暖房循環路５内を流通する熱媒が、タンク循環路６内を循環する温水によって加熱される。そして、暖房循環路５内の熱媒が暖房端末８０を流通する際の放熱により、暖房が行われる。
【００５０】
次のＳＴＥＰ６で、タンクコントローラ２５は、暖房運転中であるか否かを判断する。そして、暖房運転中でなければＳＴＥＰ２０に分岐し、タンクコントローラ２５はヒートポンプ暖房運転を終了してＳＴＥＰ１に戻る。一方、暖房運転中であればＳＴＥＰ７に進み、タンクコントローラ２５は、タンク熱交往き温度センサ１９の検出温度が第１加熱停止温度（６０℃）以上であるか否かを判断する。
【００５１】
そして、タンク熱交往き温度センサ１９の検出温度が第１加熱停止温度以上でないときはＳＴＥＰ６に戻り、タンクコントローラ２５は、ヒートポンプ暖房運転を継続する。一方、タンク熱交往き温度センサ１９の検出温度が第１加熱停止温度以上であるときはＳＴＥＰ８に進み、タンクコントローラ２５は、タンク循環ポンプ２２を停止すると共に、ヒートポンプコントローラ３５にヒートポンプ３０の作動停止を指示する信号を送信してヒートポンプ暖房運転を終了し、ＳＴＥＰ３に戻る。
【００５２】
図２のフローチャートによる処理によって、基本的には、暖房循環路５から暖房端末に供給される熱媒の温度が第１加熱開始温度（５０℃）〜第１加熱停止温度（６０℃）の範囲に維持される。しかしながら、暖房端末８０の暖房負荷が大きい場合や、ヒートポンプ３０の起動時等には、ヒートポンプ３０による加熱力の不足により、暖房端末８０に供給される熱媒の温度を上記範囲に維持することが困難な場合がある。
【００５３】
そこで、熱源機コントローラ５５は、図３に示したフローチャートに従って、タンクコントローラ２５とは独立して暖房運転を実行する。なお、図３のフローチャートによる１サイクルの熱媒の加熱処理は、本発明の第２加熱処理に相当する。
【００５４】
熱源機コントローラ５５は、図３のＳＴＥＰ５０で、リモコン７０から暖房運転の開始を指示する信号を受信したときにＳＴＥＰ５１に進み、今回の暖房運転の開始前に１時間以上暖房運転が停止した状態であったか否かを判断する。そして、１時間以上経過していないときには、部屋がまだある程度暖まった状態であり、直ちに暖房運転を開始する必要性は低いと判断できるため、ＳＴＥＰ５２に進んで１００秒の経過を待ってからＳＴＥＰ５３に進む。
【００５５】
この１００秒の待ち時間は、ヒートポンプ３０が起動してヒートポンプ暖房運転が開始されるのを待つための時間であり、熱効率に優れたヒートポンプ３０を用いたヒートポンプ暖房運転を優先して先に開始させることができる。
【００５６】
一方、暖房運転の開始前に、１時間以上暖房運転が停止した状態であるときには、部屋の温度が下がっていると判断でき、この場合には速やかに暖房運転を開始することが使用者の要求に合致すると考えられる。
【００５７】
そこで、この場合は１００秒の経過を待たずにＳＴＥＰ５３に進んで、暖房運転中であるか否かを判断し、暖房運転中でなければＳＴＥＰ５０に分岐し、暖房運転中であるときはＳＴＥＰ５４に進む。ＳＴＥＰ５４で、熱源機コントローラ５５は、暖房熱交戻り温度センサ６０の検出温度（暖房熱交戻り温度）が第２加熱開始温度（４５℃）以下であるか否かを判断する。
【００５８】
そして、暖房熱交戻り温度センサ６０の検出温度が第２加熱開始温度よりも高いときはＳＴＥＰ５３に戻り、暖房熱交戻り温度センサ６０の検出温度が第２加熱開始温度以下であるときにはＳＴＥＰ５５に進んで、熱源機コントローラ５５は暖房燃焼運転を開始する。熱源機コントローラ５５は、暖房熱交往き温度センサ５８の検出温度が第２加熱停止温度（５５℃）以上となるように、暖房バーナ５７の火力を調節して暖房燃焼運転を実行する。
【００５９】
続くＳＴＥＰ５６で、熱源機コントローラ５５は、暖房運転中であるか否かを判断し、暖房運転中でないときはＳＴＥＰ７０に分岐して暖房燃焼運転を終了（暖房バーナ５７を消火）し、ＳＴＥＰ５０に戻る。一方、暖房運転中であるときにはＳＴＥＰ５７に進み、熱源機コントローラ５５は、暖房熱交往き温度センサ５８の検出温度が第２加熱停止温度（５５℃）以上であるか否かを判断する。
【００６０】
そして、暖房熱交往き温度センサ５８の検出温度が第２加熱停止温度よりも低いときはＳＴＥＰ５６に戻り、熱源機コントローラ５５は暖房燃焼運転を継続する。一方、暖房熱交往き温度センサ５８の検出温度が第２加熱停止温度以上であるときにはＳＴＥＰ５８に進み、熱源機コントローラ５５は、暖房燃焼運転を終了（暖房バーナ５７を消火）してＳＴＥＰ５９に進む。
【００６１】
ＳＴＥＰ５９で、熱源機コントローラ５５は、当日（暖房運転を実行している日、本発明の所定期間に相当する）における暖房バーナ５７の発停回数（点火／消火の回数、本発明の第２加熱処理の実行回数に相当する）が所定回数以上であるか否かを判断する。そして、暖房バーナ５７の発停回数が所定回数以上でないときにはＳＴＥＰ５３に戻る。一方、暖房バーナ５７の発停回数が所定回数以上であるときにはＳＴＥＰ８０に分岐し、熱源機コントローラ５５は、第２加熱開始温度を下げると共に第２加熱停止温度を上げる補正を行う。この補正により、当日の残期間における暖房バーナ５７の発停頻度を低下させて、熱源機５０の寿命を延ばすことができる。
【００６２】
図３のフローチャートによる処理によって、暖房循環路５から暖房端末８０に供給される熱媒の温度が第２加熱開始温度（４５℃）〜第２加熱停止温度（５５℃）の範囲に維持される。そして、この第２加熱開始温度（４５℃）は、ヒートポンプ加熱運転における第１加熱開始温度（５５℃）より低く、また、第２加熱停止温度（５５℃）は、ヒートポンプ暖房運転における第１加熱停止温度（６０℃）より低くなっている。そのため、暖房燃焼運転よりもヒートポンプ暖房運転の方が先に開始され、また、暖房燃焼運転が開始されたときに、早期に暖房燃焼運転が停止し易い。
【００６３】
これにより、熱効率に優れたヒートポンプ３０による暖房を、熱源機５０による暖房よりも優先させて暖房運転を実行することができる。
【００６４】
［７．変形実施形態］
上記実施形態では、給湯機能と暖房機能を備えた給湯暖房システム１を示したが、給湯機能を有しない暖房システムに対しても本発明の適用が可能である。
【００６５】
上記実施形態では、暖房循環路５を流通する熱媒を、タンク１１を介してヒートポンプ３０により加熱する構成となっているが、暖房循環路５を流通する熱媒をヒートポンプ３０により直接加熱する構成としてもよい。この場合は、タンク熱交換器２１に代えてヒートポンプ３０が配置される構成となる。
【００６６】
上記実施形態において、熱源機コントローラ５５は、図３のＳＴＥＰ５２において、暖房運転の開始時に所定時間（上記実施形態では１００秒）の経過を待つ処理を行ったが、この処理を行わない場合であっても本発明の効果を得ることができる。
【００６７】
上記実施形態において、熱源機コントローラ５５は、図３のＳＴＥＰ５９、ＳＴＥＰ８０において、当日の暖房バーナ５７の発停回数が所定回数以上になったときに、第２加熱開始温度を下げて第２加熱停止温度を上げる処理を行ったが、この処理を行わない場合であっても本発明の効果を得ることができる。また、第２加熱開始温度を上げる処理と、第２加熱停止温度を下げる処理のうち、いずれか一方のみを行うようにしてもよい。
【００６８】
上記実施形態においては、本発明の熱源機としてガスバーナを熱源とする熱源機５０を示したが、石油バーナや電気ヒータ等を熱源とする熱源機を用いてもよい。
【００６９】
上記実施形態においては、暖房熱交往き温度センサ５８とは別に暖房熱交戻り温度センサ６０を設けたが、暖房バーナ５７が燃焼を停止して暖房循環ポンプ５９が作動している状態では、暖房熱交往き温度センサ５８の検出温度と暖房熱交戻り温度センサ６０の検出温度は等しくなる。そのため、図３のＳＴＥＰ５４において、暖房熱交戻り温度センサ６０に代えて、暖房熱交往き温度センサ５８の検出温度が第２加熱開始温度以下であるか否かを判断するようにしてもよい。この場合、暖房熱交往き温度センサ５８は、本発明の第２熱交戻り温度センサに相当する。
【００７０】
同様に、図２のＳＴＥＰ４においても、タンク熱交戻り温度センサ２０に代えて、タンク熱交往き温度センサ１９の検出温度が第１加熱開始温度以下であるか否かを判断するようにしてもよい。この場合、タンク熱交往き温度センサ１９は、本発明の第１熱交戻り温度センサに相当する。
【符号の説明】
【００７１】
１…給湯暖房システム（暖房システム）、２…出湯管、３…給水管、４…給水分岐管、５…暖房循環路、６…タンク循環路、７…ヒートポンプ循環路、１０…タンクユニット、１１…タンク、１９…タンク熱交往き温度センサ、２０…タンク熱交戻り温度センサ、２１…タンク熱交換器、２２…タンク循環ポンプ、２５…タンクコントローラ２５、３０…ヒートポンプ、３５…ヒートポンプコントローラ、５０…熱源機、５１…給湯熱交換器、５２…給湯バーナ、５５…熱源機コントローラ、５６…暖房熱交換器、５７…暖房バーナ、５８…暖房熱交往き温度センサ、５９…暖房循環ポンプ、６０…暖房熱交戻り温度センサ、７０…リモコン、８０…暖房端末。
【図１】
0006513551.tif 000002
【図２】
0006513551.tif 000003
【図３】
0006513551.tif 000004